(57)【要約】【課題】引戸扉を引戸枠部材に簡単に取り付けることができ、現場での工数を低減させることのできるとともに、意匠的にも優れた引戸装置を提供すること。【解決手段】出入り口に配置される引戸扉４と、引戸枠部材２と、該引戸枠部材２の一側に形成され、引戸扉４を収納する戸袋３とからなる引戸装置１において、戸先側縦枠２ａと戸袋入口の方立２ｂとの間の開口幅Ｗを引戸扉４の横幅Ｌよりも大とし、戸先側縦枠２ａ又は戸袋入口の方立２ｂの少なくとも一方に着脱自在な付枠５を配設したことを特徴とする。【選択図】図１
2007092476.tif 000002
【特許請求の範囲】
【請求項１】
出入り口に配置される引戸扉と、引戸枠部材と、該引戸枠部材の一側に形成され、引戸扉を収納する戸袋とからなる引戸装置において、戸先側縦枠と戸袋入口の方立との間の開口幅を引戸扉の横幅よりも大とし、戸先側縦枠又は戸袋入口の方立の少なくとも一方に着脱自在な付枠を配設したことを特徴とする引戸装置。
【請求項２】
付枠には、戸先側縦枠又は戸袋入口の方立に設けた係止穴に係合する、断面Ｌ字状の係止爪を配設したことを特徴とする請求項１記載の引戸装置。
【発明の詳細な説明】
【技術分野】
【０００１】
本発明は、引戸装置に関し、特に、引戸装置の施工時の作業性を向上させることのできる引戸装置に関するものである。
【背景技術】
【０００２】
従来の引戸装置の例を図６〜７に示す。この引戸装置１０は、引戸枠部材２と、該枠部材２の一側に形成された戸袋３内に収納される引戸扉４と、戸袋３とより構成される。
通常、この種の引戸装置１０の場合、施工後に引戸扉４が全閉状態で戸袋３入口の方立２ｂとの間に隙間が生じることを防止するために、戸先側縦枠と戸袋入口の方立との間の開口部分の横幅Ｗ’よりも、引戸扉４の横幅Ｌ’の方が大きくなっている。
【０００３】
そして、この引戸装置１０の施行に際しては、引戸扉４を引戸枠部材２に組み込むときに、図７に示すように、引戸扉４を開口部分に対して斜めから挿入する必要があり、特に、開口戸尻側の床面に引戸扉４の振れ止め用ガイドローラ８を配設しているときは、ガイドローラ８よりも引戸扉４を高く持ち上げた後に引戸扉４の下部に設けた溝部分にガイドローラ８を嵌入するため非常に作業性が悪く、また、引戸扉４を廊下のコーナ部分に位置する開口に取り付けようとするときは、引戸扉４の先端を戸先枠よりも壁側に数百ｍｍ移動させる必要から、当初の設計通りには引戸装置１０を施工することができない場合も生じるといった問題があった。
【発明の開示】
【発明が解決しようとする課題】
【０００４】
本発明は、上記従来の引戸装置の有する問題点に鑑み、引戸扉を引戸枠部材に簡単に取り付けることができ、現場での工数を低減させることのできるとともに、意匠的にも優れた引戸装置を提供することを目的とする。
【課題を解決するための手段】
【０００５】
上記目的を達成するため、本発明の引戸装置は、出入り口に配置される引戸扉と、引戸枠部材と、該引戸枠部材の一側に形成され、引戸扉を収納する戸袋とからなる引戸装置において、戸先側縦枠と戸袋入口の方立との間の開口幅を引戸扉の横幅よりも大とし、戸先側縦枠又は戸袋入口の方立の少なくとも一方に着脱自在な付枠を配設したことを特徴とする。
【０００６】
この場合において、付枠には、戸先側縦枠又は戸袋入口の方立に設けた係止穴に係合する、断面Ｌ字状の係止爪を配設することができる。
【発明の効果】
【０００７】
本発明の引戸装置によれば、戸先側縦枠と戸袋入口の方立との間の開口幅を引戸扉の横幅よりも大とし、戸先側縦枠又は戸袋入口の方立の少なくとも一方に着脱自在な付枠を配設するから、引戸枠部材への引戸扉の取り付けが容易で、引戸扉取り付け後に付枠を縦枠又は戸袋入口の方立の少なくとも一方に配設すれば、引戸全閉時に明かり漏れが生じることもなく、また付枠の形状を傾斜面を有するテーパ状とすることによって意匠性を向上させることができる。
【０００８】
また、付枠に、戸先側縦枠又は戸袋入口の方立に設けた係止穴に係合する、断面Ｌ字状の係止爪を配設するときは、戸先側縦枠又は戸袋入口の方立に付枠を取り付けが簡易かつ容易に行うことができる。
【発明を実施するための最良の形態】
【０００９】
以下、本発明の引戸装置の実施の形態を、図面に基づいて説明する。なお、従来装置と同様の構造については同一の符号、一連の符号を付し説明を省略する。
【実施例１】
【００１０】
図１〜図５に、本発明の引戸装置の第１実施例を示す。
この引戸装置１は、従来例と同様、引戸枠部材２と、該枠部材２の一側に形成された戸袋３内に収納される引戸扉４と、戸袋３とより構成される。
引戸扉４の開閉の仕組みは特に限定されるものではなく、引戸扉４の上面に備えた対をなす前後の吊り車（図示しない）を走行用レール（図示しない）に載置し、通常は走行用レールを閉じ側に向けて傾斜せしめ、引戸扉４の自重によって、又は適宜手段（例えば、レールを床面と平行に取り付け、巻バネを用いて引戸扉４を閉鎖方向に付勢する等）によって常時は引戸扉４を閉じ方向に付勢するように構成する場合や走行用レールを水平に設け、開閉を人手のみにゆだねるものの他、引戸枠部材２下方の床面に敷設したレール上に引戸扉４を載置して引戸扉４を開閉する構成であってもかまわない。
また、引戸扉４を閉じ方向に付勢するように構成する場合には、引戸扉４に周知のフリーストッパ機構を設けることが好ましい。
【００１１】
そして、本発明の引戸装置１は、戸先側縦枠と戸袋入口の方立との間の開口幅Ｗを引戸扉４の横幅Ｌよりも大とし、戸先側縦枠２ａ又は戸袋入口の方立２ｂの少なくとも一方に着脱自在な付枠５を配設するようにしている。
付枠５は、戸先側縦枠２ａ又は戸袋入口側方立２ｂの一方でも、また両方に配設しても良く、引戸扉４を引戸枠部材２に取り付けた後、引戸扉４を全閉したときに明かり漏れがしない幅を付枠５によって確保できれば良い（図２に示すように、付枠の横寸法ａ、ｂと、引戸枠部材２の開口幅Ｗ、引戸扉４の横幅Ｌの関係が、ａ＝ｂ＞Ｗ−Ｌとなれば良い）。
なお、意匠的には両方に配設することが好ましい。（以下、両方に配設する図例に添って説明する。）
【００１２】
付枠５は、戸先側縦枠２ａに取り付ける戸先用付枠５１と、戸袋入口の方立２ｂに取り付ける方立用付枠５２ａ、５２ｂとからなり、さらに戸先用付枠５１は、引戸扉４の戸先側に配設するパッキン４ａが当接する当たり部分を重複させる形で略対象形状の付枠５１ａと付枠５１ｂとした分割構造とすることもできる。
【００１３】
付枠５には、戸先側縦枠２ａ又は戸袋入口側方立２ｂに穿孔した係止穴６２に係合する係止爪６１を配設するとともに、上部に設けた突出部にネジなどの固着部材を嵌入し、戸先側縦枠２ａ又は戸袋入口の方立２ｂに固着するためのネジ用穴６３を穿孔する。
【００１４】
戸先側縦枠２ａ又は戸袋入口側方立２ｂに穿孔した係止穴６２は、横幅６２ａと立幅６２ｂとがそれぞれ係止爪６１の横幅６１ａと立幅６１ｂよりも大きく穿孔し、付枠５に配設した係止爪６１を挿入後下側に摺動させることによって付枠５を戸先側縦枠２ａ又は戸袋入口側方立２ｂに簡単に固定することができるようにしている。
【００１５】
しかして、引戸扉４を、引戸枠部材２に取り付ける際、図５（ａ）に示す如く、引戸扉４を引戸枠部材２に取り付ける。この際、戸先側縦枠と戸袋入口の方立との間の開口幅Ｗよりも引戸扉４の横幅Ｌが小さいから、引戸扉４を斜めから取り付ける必要はなく容易に引戸扉４を引戸枠部材２に取り付けることができる。
ついで、図５（ｂ）に示すように、引戸扉４を若干戸袋３側に移行させ、戸先側縦枠２ａに穿孔した係止穴６２に戸先用付枠５１の係止爪６１を係合し、下側に摺動させて固定した後、ネジ用穴６３にネジなどの固着手段６４で戸先用付枠５１を戸先側縦枠２ａに取り付ける。
そして、図５（ｃ）に示すように、戸袋入口側方立２ｂに方立用付枠５２ａ、５２ｂを戸先用付枠５１と同様の要領で取り付け施工を完了する。
【００１６】
なお、戸先用付枠５１と方立用付枠５２ａ、５２ｂとの取り付け順序は逆であっても構わず、また、固着手段６４による戸先側縦枠２ａ又は戸袋入口側方立２ｂへの固定は最後に行ってもかまわない。
【００１７】
以上、本発明の引戸装置について、実施例に基づいて説明したが、本発明は上記実施例に記載した構成に限定されるものではなく、その趣旨を逸脱しない範囲において適宜その構成を変更することができるものである。
【産業上の利用可能性】
【００１８】
本発明の引戸装置は、引戸扉の横幅を開口幅よりも小とし、引戸扉取り付け後に付枠を取り付けることによって明かり漏れを防止するという特性を有していることから、新規設備の引戸装置に用いることができる他、例えば、既設建造物の改造工事においても、引戸扉と付枠を用意することによって適用することができる。
【図面の簡単な説明】
【００１９】
【図１】本発明の引戸装置を示す閉鎖位置での正面図である。
【図２】図１のＸ−Ｘ断面図である。
【図３】本発明の引戸装置に用いる戸先用付枠を示し、（ａ）は、分割構造としたときの一方の付枠の平面図、（ｂ）は、一部断面の正面図、（ｃ）は、一部断面の側面図である。
【図４】本発明の引戸装置に用いる戸先側縦枠を示し、（ａ）は、一部断面の正面図、（ｂ）は、（ａ）のＹ−Ｙ断面図である。
【図５】本発明の引戸装置の施行方法を示す一部断面の平面図である。
【図６】従来の引戸装置を示す閉鎖位置での正面図である。
【図７】従来の引戸装置の施行方法を示す一部断面の平面図である。
【符号の説明】
【００２０】
１  引戸装置
２  引戸枠部材
２ａ  戸先側縦枠
２ｂ  方立
４  引戸扉
５  付枠
６１  係止爪
６２  係止穴
【図１】
2007092476.tif 000003
【図２】
2007092476.tif 000004
【図３】
2007092476.tif 000005
【図４】
2007092476.tif 000006
【図５】
2007092476.tif 000007
【図６】
2007092476.tif 000008
【図７】
2007092476.tif 000009